(57)【要約】      （修正有）【課題】利用者を撮影する画像に基づいて生成される生成画像をサーバに送信する写真撮影遊戯装置を提供する。【解決手段】画像アクセス情報の出力先に関する情報を受け付ける受付処理部７０１と、受付空間から撮影空間に移動した利用者の撮影を行い、撮影画像を生成する撮影処理部７０２と、生成した撮影画像を記憶する記憶部７０３と、利用者が撮影画像を編集する処理を行い、編集処理が終了すれば、生成画像などを、通信部７０５を用いて、サーバに送信する編集処理部７０４から構成する。【選択図】図７
2016186724.tif 000002
【特許請求の範囲】
【請求項１】
写真撮影遊戯装置の動作方法であり、
前記写真撮影遊戯装置は、利用者を撮影する画像に基づいて生成される生成画像をサーバから取得するためのアクセス情報の出力先に関する情報を受け付け、
前記写真撮影遊戯装置は、前記出力先に関する情報を受け付けると、前記サーバに前記生成画像が記憶される前に、前記アクセス情報の出力をし、
前記写真撮影遊戯装置は、前記利用者を撮影した画像に基づいて生成された生成画像と前記アクセス情報とを前記サーバに送信することを含む動作方法。
【請求項２】
利用者を撮影する画像に基づいて生成される生成画像を記憶するサーバに前記生成画像の送信をする写真撮影遊戯装置であり、
前記生成画像が前記サーバに記憶された後に前記生成画像を前記サーバより取得するためのアクセス情報の出力先に関する情報を前記生成画像が前記サーバに記憶される前に受け付ける受付処理部を有し、
前記受付処理部が前記出力先に関する情報を受け付けると、前記アクセス情報を前記出力先に関する情報により示される出力先に出力し、
前記利用者を撮影した画像に基づいて生成された生成画像と前記アクセス情報とを前記サーバに送信する写真撮影遊戯装置。
【請求項３】
前記アクセス情報の前記発行を前記サーバに依頼した後に、前記利用者を撮影した画像に基づいて生成された生成画像を前記サーバに送信する請求項２に記載の写真撮影遊戯装置。
【請求項４】
前記写真撮影遊戯装置は、前記サーバに前記アクセス情報の発行を依頼するとき、前記受付処理部が受け付けた前記出力先に関する情報を前記サーバに送信する請求項３に記載の写真撮影遊戯装置。
【請求項５】
前記前記受付処理部が受け付けた前記出力先に関する情報は前記利用者の利用する端末に前記アクセス情報を送信するための情報であり、前記サーバに前記アクセス情報の発行を依頼すると、前記サーバより前記アクセス情報の受信をし、前記端末に前記受信をした前記アクセス情報を送信する請求項３に記載の写真撮影遊戯装置。
【請求項６】
前記写真撮影遊戯装置は、前記利用者が順次移動する複数の空間を有し、前記写真撮影遊戯装置が前記生成画像を生成する前に、前記利用者が端末を用いて前記アクセス情報に基づいて生成画像を取得しようとすると、前記利用者が現在居る空間または次に移動するべき空間の案内が前記端末に表示される請求項２から５のいずれか一項に記載の写真撮影遊戯装置。
【請求項７】
利用者を撮影する画像に基づいて生成される生成画像をサーバに送信する写真撮影遊戯装置と通信を行うサーバであり、
前記生成画像が記憶されると前記生成画像を取得可能となるアクセス情報の発行の依頼を、前記写真撮影遊戯装置が送信する前記生成画像を受信し記憶する前に、受信し、
前記発行の前記依頼をされた前記アクセス情報の発行をし、前記利用者の端末に向けて送信するサーバ。
【請求項８】
前記発行の前記依頼をされた前記アクセス情報の発行をし、前記利用者の端末に向けて送信した後に、前記生成画像を記憶する請求項７に記載のサーバ。
【請求項９】
前記写真撮影遊戯装置より、前記発行の前記依頼をされるときに、前記発行をする前記アクセス情報の送信先である前記端末を特定するための情報を受信し、
前記端末を特定するための前記情報を用いて、前記発行をした前記アクセス情報を前記端末に対して送信する請求項７または８に記載のサーバ。
【請求項１０】
前記発行の前記依頼をされた前記アクセス情報の発行をし、前記写真撮影遊戯装置を介して前記アクセス情報を前記利用者の端末に対して送信する請求項７または８に記載のサーバ。
【請求項１１】
前記サーバは、前記写真撮影遊戯装置が生成した前記生成画像を記憶する前に前記利用者が端末を用いて前記アクセス情報に基づいて生成画像を取得しようとするかどうかに応じて、異なる返信を前記端末に行う請求項７から１０のいずれか１項に記載のサーバ。
【発明の詳細な説明】
【技術分野】
【０００１】
本発明は、写真撮影遊戯装置、写真撮影遊戯のためのプログラムなどに関する。特に、利用者の撮影した画像がネットワークを介してサーバに送信（アップロード）された後に、利用者がサーバから画像を取得（ダウンロード）することができる写真撮影遊戯装置、写真撮影遊戯のためのプログラムなどに関する。
【背景技術】
【０００２】
いわゆる「プリクラ」として知られている写真撮影遊戯装置は、利用者の顔写真を撮影し、撮影により得られた画像に利用者が修飾（いわゆる「落書き」）などの加工を加えた画像を、印刷装置からシールに印刷したり、サーバに送信（アップロード）した画像を端末に取得（ダウンロード）させたりするための装置である（例えば、特許文献１参照。）。
【先行技術文献】
【特許文献】
【０００３】
【特許文献１】特開２０１３−１７８５４４号公報
【発明の概要】
【発明が解決しようとする課題】
【０００４】
利用者が撮影した画像を、ネットワークを介してサーバに送信した後に利用者がサーバから画像を取得することができる写真撮影遊戯装置においては、画像を本当に取得できるのかどうか、利用者が不安に感じる場合がある。
【０００５】
本願発明は、以上の諸事情などに鑑みてなされたものである。
【課題を解決するための手段】
【０００６】
本願発明の一実施形態として、写真撮影遊戯装置の動作方法を提供する。この動作方法においては、前記写真撮影遊戯装置は、利用者を撮影する画像に基づいて生成される生成画像をサーバから取得するためのアクセス情報の出力先に関する情報を受け付ける。ここにサーバは、写真撮影遊戯装置が利用者を撮影する画像に基づいて生成され送信がされる生成画像を受信すると、生成画像を記憶し、アクセス情報を受信すると、生成画像を返信する。前記写真撮影遊戯装置は、前記出力先に関する情報を受け付けると、前記サーバに前記生成画像が記憶される前に、前記アクセス情報の出力をし、前記写真撮影遊戯装置は、前記利用者を撮影した画像に基づいて生成された生成画像を前記サーバに送信する。
【０００７】
本願発明の一実施形態として、利用者を撮影する画像に基づいて生成される生成画像を記憶するサーバに送信する写真撮影遊戯装置を提供する。写真撮影遊戯装置は、前記生成画像が前記サーバに記憶されると前記生成画像を前記サーバより取得するためのアクセス情報の出力先に関する情報を前記生成画像が前記サーバに記憶される前に受け付ける受付処理部を有する。また、写真撮影遊戯装置は、前記受付処理部が前記送信先を受け付けると、前記アクセス情報を前記出力先に関する情報により示される出力先に出力し、前記利用者を撮影した画像に基づいて生成された生成画像を前記サーバに送信する。
【０００８】
本願発明の一実施形態として、利用者を撮影する画像に基づいて生成される生成画像をサーバに送信する写真撮影遊戯装置と通信を行うサーバを提供する。サーバは、前記生成画像が記憶されると前記生成画像を取得可能となるアクセス情報の発行の依頼を、前記写真撮影遊戯装置が送信する前記生成画像を受信し記憶する前に、受信し、前記発行の前記依頼をされた前記アクセス情報の発行をし、前記利用者の端末に向けて送信する。
【発明の効果】
【０００９】
本願発明によれば、利用者が撮影した画像をネットワークを介してサーバにアップロードした後に利用者がサーバから画像をダウンロードすることができる写真撮影遊戯装置において、画像を本当にダウンロードできるのかどうか、利用者が不安に感じないようにすることが可能である。
【図面の簡単な説明】
【００１０】
【図１】（Ａ）本願発明の一実施形態に係る写真撮影遊戯装置の各空間の構成を示す図である。（Ｂ）本願発明の一実施形態に係る写真撮影遊戯装置の斜視図である。
【図２】（Ａ）本願発明の一実施形態に係る写真撮影遊戯装置の受付空間に表示される画面の一例図である。（Ｂ）本願発明の一実施形態に係る写真撮影遊戯装置の受付空間に表示される画面の一例図である。（Ｃ）本願発明の一実施形態に係る写真撮影遊戯装置の受付空間に表示される画面の一例図である。（Ｄ）本願発明の一実施形態に係る写真撮影遊戯装置の受付空間に表示される画面の一例図である。
【図３】本願発明の一実施形態に係る写真撮影遊戯装置の利用者の携帯端末に表示される画面の一例図である。
【図４】（Ａ）本願発明の一実施形態に係る写真撮影遊戯装置の利用者の携帯端末に表示される画面の一例図である。（Ｂ）本願発明の一実施形態に係る写真撮影遊戯装置の利用者の携帯端末に表示される画面の一例図である。
【図５】本願発明の一実施形態に係る写真撮影遊戯装置を有するシステムの構成図である。
【図６Ａ】本願発明の一実施形態に係る写真撮影遊戯装置を有するシステムのシーケンス図である。
【図６Ｂ】本願発明の一実施形態に係る写真撮影遊戯装置を有するシステムの別のシーケンス図である。
【図７】本願発明の一実施形態に係る写真撮影遊戯装置の機能ブロック図である。
【図８】本願発明の一実施形態に係る写真撮影遊戯装置のハードウェア構成図である。
【図９】本願発明の一実施形態に係る写真撮影遊戯装置を有するシステムのサーバの機能ブロック図である。
【図１０】（Ａ）本願発明の一実施形態に係る写真撮影遊戯装置の処理のフローチャートである。（Ｂ）本願発明の一実施形態に係る写真撮影遊戯装置のフローチャートである。
【図１１】（Ａ）本願発明の一実施形態に係る写真撮影遊戯装置を有するシステムのサーバのフローチャートである。（Ｂ）本願発明の一実施形態に係る写真撮影遊戯装置を有するシステムのサーバのフローチャートである。
【図１２】（Ａ）本願発明の一実施形態に係る写真撮影遊戯装置の処理のフローチャートである。（Ｂ）本願発明の一実施形態に係る写真撮影遊戯装置を有するシステムのサーバのフローチャートである。
【発明を実施するための形態】
【００１１】
以下、本願発明を実施するための形態について、実施形態を用いて説明する。なお、本願発明は、以下に説明する実施形態に限定して解釈されることはない。本願発明は、以下に説明する実施形態を種々に変形して実施することが可能である。
【００１２】
図１（Ａ）は、本発明の一実施形態に係る写真撮影遊戯装置が、仕切り壁やカーテンなどを用いて、提供する空間の構成を示す。写真撮影遊戯装置１００は、空間として、受付空間１０１と、撮影空間１０２と、編集空間１（１０３）と編集空間２（１０４）とを提供する。利用者（一人または複数人）は、まず、受付空間１０１において受付を行う。受付空間１０１における受付において、例えば、利用者は、撮影した画像に対する補正（顔の肌を白めにすることや、眼の大きさを実際よりも大きくする）の程度を指示したり、撮影した画像をサーバからダウンロードするための情報（例えば、撮影した画像のＵＲＬや、ダウンロードする際の認証情報（パスワード））を送付するための利用者のメールアドレス、携帯電話の番号、ＳＮＳ（Ｓｏｃｉａｌ  Ｎｅｔｗｏｒｋ  Ｓｙｓｔｅｍ）の利用者ＩＤなどを入力したりする。
【００１３】
受付空間１０１における受付の後に、利用者は撮影空間１０２に移動し、利用者自身の撮影を行う。撮影が終了すると、利用者は、他の利用者が利用していない編集空間１（１０３）と編集空間２（１０４）とのいずれかに移動を行い、撮影空間１０２において撮影された撮影画像に基づいて生成画像を生成する。すなわち、撮影画像に文字を書き入れたりマークを書き入れたりする編集などの加工を行い、生成画像を生成する。加工などの編集が終われば、図示されていない印刷装置により、生成画像をシールなどに印刷することができる。また、生成画像を写真撮影遊戯装置１００からネットワークを介してサーバにアップロードすることができる。
【００１４】
なお、利用者が写真撮影遊戯装置１００の利用を開始してから、生成画像の印刷やサーバへのアップロードが行われるまでの間に、利用者に課金が行われる場合には、利用者はその課金に対する対価の支払いを行う。対価の支払いは、硬貨や紙幣を写真撮影遊戯装置１００に投入したり、クレジットカードや電子マネーなどを用いたりして行われる。この対価の支払いは、受付空間１０１において行われたり、撮影空間１０２において行われたり、編集空間１（１０３）、２（１０４）において行われたりする。あるいは、利用者があらかじめ登録したクレジットカードを用いた決済がされるようにしてもよい。
【００１５】
図１（Ｂ）は、本発明の一実施形態に係る写真撮影遊戯装置１００の斜視図である。写真撮影遊戯装置１００は、区画１１１と区画１１２と区画１１３とを有している。区画１１１と区画１１２と区画１１３とのそれぞれは、出入口１１４、１１５および１１６が例えばカーテンにより仕切られ、区画１１１と区画１１２と区画１１３との間は例えば壁によって仕切られている。
【００１６】
また、図１（Ｂ）においては、区画１１１から見て区画１１２および区画１１３とは反対側の壁面１１０は、受付空間１０１を形成している。すなわち、壁面１１０には、ディスプレイ１１０−１とカメラ１１０−２とが配置されている。利用者は、ディスプレイ１１０−１に表示された内容に対して、図示されない入力装置を用いて入力を行い、指示を行う。あるいは、ディスプレイ１１０−１はタッチパネルと一体化されており、利用者がディスプレイ１１０−１にタッチすることで、指示を行うことができる。さらに別の形態においては、利用者は、携帯端末に指示の内容を記憶させておき、写真撮影遊戯装置１００と近距離無線通信などを行い、携帯端末に記憶させた指示の内容を写真撮影遊戯装置１００に送信し、指示を行うこともできる。また、写真撮影遊戯装置１００に利用者の識別情報と、指示の内容とを予め記憶させておき、利用者がその識別情報を写真撮影遊戯装置１００の受付空間１０１において入力すると、記憶された指示の内容が読み出されるようになっていてもよい。
【００１７】
なお、カメラ１１０−２は必須の構成ではない。このカメラ１１０−２が備えられている場合には、受付時の利用者それぞれを撮影し、利用者ごとに顔認識するための情報と受付時に受け付けた補正の程度などとを関連付けて記憶する。その後、撮影空間１０２において撮影がされると、撮影した画像に撮影された利用者それぞれを、利用者を顔認識するための情報を用いて認識し、利用者ごとに受付時に受け付けられた補正などを施すことが可能となる。
【００１８】
区画１１１が撮影空間１０２に対応している。区画１１１の内部には、撮影用のカメラと、利用者に撮影時にとるポーズなどの指示を行ったり、カメラにより撮影された画像を表示したりするための表示装置と、表示装置の表示に指示を行うなどの入力装置が備えられている。また、必要に応じては、フラッシュなどの照明機器も備えられている。また、利用者の気分を盛り上げるなどのための音楽の再生のためのスピーカーなども備えられていてもよい。なお、表示装置にタッチパネルを備えることにより、表示装置と入力装置とが一体になっていてもよい。
【００１９】
利用者が区画１１１において撮影を終了すると、表示装置などに表示された指示やスピーカーから再生される音声の指示などにより、編集空間１（１０３）に対応する区画１１２または編集空間２（１０４）に対応する区画１１３に移動する。区画１１２および区画１１３のそれぞれには、表示装置と入力装置とが備えられている。利用者は、区画１１２または区画１１３の表示装置に、区画１１１において撮影された撮影画像を表示し、複数の撮影画像があれば、その中から選択を行う。また、撮影画像に背景画像を付加したり、入力装置を用いて撮影画像に様々な文字、模様などの部分画像の付加を行ったりする加工などの作業を行い、生成画像を生成する。言い換えると撮影画像に基づいて生成画像が生成される。
【００２０】
利用者は、区画１１２または区画１１３における作業を終えると、区画１１２または区画１１３や他の場所に備えられた印刷装置に編集画像を印刷して出力する。あるいは、ネットワークを介してサーバに生成画像がアップロードされる。サーバに生成画像がアップロードされる際には、撮影画像に背景画像を付加したり、入力装置を用いて撮影画像に様々な文字、模様などの部分画像の付加を行ったりする前の撮影画像もアップロードされてもよい。
【００２１】
なお、図１（Ａ）においては、受付空間および撮影空間の数はそれぞれ１とし、編集区間の数を２としたが、受付空間、撮影空間および編集空間の数は任意の自然数とすることができる。また、図１（Ａ）において、受付空間１０１、撮影空間１０２、編集空間１（１０３）および編集空間２（１０４）とは、一体となっている必要はなく、受付空間１０１、撮影空間１０２、編集空間１（１０３）および編集空間２（１０４）は離隔して配置されていてもよい。
【００２２】
図２は、本願発明の一実施形態に係る写真撮影遊戯装置の受付空間１０１に表示される画面の一例を示すための図である。図２（Ａ）において、壁面１１０に備えられた表示装置１１０−１に「ようこそ」という文字列が表示され、「受付開始」２０１が表示されているボタンが表示されている。なお、符号１１０−２は、上述したようにカメラであるが、本願発明の一実施形態において必須ではない。
【００２３】
利用者が「受付開始」２０１のボタンを図示しない入力装置を用いて押下したり、表示装置１１０−１と一体形成されているタッチパネルにより押下したりした後には、表示装置１１０−１の表示は、画像アクセス情報の出力先に関する情報を入力するための表示に変化する。画像アクセス情報の出力先は、例えば、壁面１１０に備えられた表示装置１１０−１や、図示しないプリンターとすることができる。また、利用者の所持する携帯電話番号や、携帯端末などからアクセスできる電子メールアドレスなどとすることができる。出力先に関する情報は、出力先の選択肢が表示装置１１０−１に表示され、利用者が選択できるようになっていてもよい。また、写真撮影遊戯装置のメモリなどに出力先に関する情報が設定されており、その設定された出力先に関する情報を読み出して取得するようになっていてもよい。また、画像アクセス情報の出力先が、携帯電話番号や、携帯端末などからアクセスできる電子メールアドレスである場合には、図２（Ｂ）のように、画像アクセス情報の送信先を入力するための表示に変化する。
【００２４】
画像アクセス情報とは、利用者がこれから撮影空間１０２において撮影し、編集空間１（１０３）、２（１０４）において編集して生成した生成画像が、サーバに記憶された後に、サーバからダウンロード可能とし、生成画像を取得するための情報である。画像アクセス情報の例としては、撮影空間１０２において撮影し、編集空間１（１０３）、２（１０４）において編集した画像を携帯端末やパーソナルコンピュータなどに表示させるためのＵＲＬ（Ｕｎｉｆｏｒｍ  Ｒｅｓｏｕｒｃｅ  Ｌｏｃａｔｏｒ）を挙げることができる。あるいは、撮影空間１０２において撮影し、編集空間１（１０３）、２（１０４）において編集して生成した生成画像を記憶しているサーバに携帯端末やパーソナルコンピュータなどを接続することにより、撮影空間１０２において撮影し、編集空間１（１０３）、２（１０４）において編集して生成した生成画像を得るために入力する画像の識別情報とすることもできる。また、画像アクセス情報には、画像を携帯端末やパーソナルコンピュータなどに表示させたりして画像を得るための認証情報が含まれていてもよい。
【００２５】
画像アクセス情報の送信先とは、上述した画像アクセス情報を送信し、利用者に伝達するための送信の先を特定する情報である。具体的には、上述したように、利用者のメールアドレス、利用者の携帯電話の番号、また、利用者のＳＮＳにおけるユーザＩＤなどである。利用者の携帯電話の電話番号が画像アクセス情報の送信先として利用される場合には、画像アクセス情報は、携帯電話ネットワークのショートメッセージサービスを用いて送信することができる。
【００２６】
利用者が、フィールド２０２に、画像アクセス情報の送信先を、図示しない入力装置や、ソフトウェアキーボードなどにより入力を行い、「ＯＫ」２０３が表示されたボタンを押下すると、画像アクセス情報の送信先が写真撮影遊戯装置１００に受け付けられる。このときに、画像アクセス情報の送信先へ、画像アクセス情報が送信されると、図２（Ｃ）に示すように「画像アクセス情報を送信しました」という表示がされる。あるいは、壁面１１０に備えられた表示装置１１０−１、撮影空間に備えられた表示装置、編集空間に備えられた表示装置、プリンターなどから画像アクセス情報を出力することもできる。なお、画像アクセス情報の送信は、このときに限られるものではない。別の形態としては、利用者が撮影空間１０２において撮影を完了する前、または、編集空間１（１０３）、２（１０４）において編集を完了する前に行われるのが好ましい。また、より具体的には、生成画像がサーバにアップロードされ記憶される前に行われるのが好ましい。特に、利用者が、対価の支払いを行う前あるいは、対価の支払いを行った後が好ましいとすることもできる。このようなタイミングで画像アクセス情報の送信が行われることにより、利用者は、実際に生成画像が生成される前、または、サーバなどにアップロードされ記憶される前に、画像アクセス情報を取得することができる。これにより、利用者は、画像をダウンロード可能とするための準備が進んでいることを知ることができ、画像がダウンロードできないのではないかという不安を持たないようになる。
【００２７】
図２（Ｃ）において、「次へ」２０４が表示されたボタンが押下されると、撮影空間１０２が他の利用者の撮影により占有されていなければ、「撮影空間へ移動してください」というメッセージが表示され、利用者は撮影空間への移動を促される。また、撮影空間１０２が他の利用者の撮影により占有されば、表示装置１１０−１にゲーム画面などを表示させ、利用者にゲームをさせるなどして、受付空間１０１で利用者が時間つぶしをするようにさせることもできる。時間つぶしは、ゲームによることに限定されることなく、所定の質問のアンケートを利用者から取ったり、すでに行われたアンケートの結果を表示したりすることによっても行うことができる。
【００２８】
図３は、画像アクセス情報が、利用者の携帯端末３００に送信され、画像アクセス情報が携帯端末３００の画面に表示された一例を示す。この場合、画像アクセス情報は、携帯端末３００へ、電子メールによって送信されてもよいし、携帯端末３００が携帯電話であれば、ショートメッセージサービスによって送信されてもよい。図３においては、画像アクセス情報は、ＵＲＬの形式３０２により、送信されている。
【００２９】
図４は、図３に例示するＵＲＬの形式３０２を利用者がクリックなどしてＵＲＬをたどって表示される画面３０１の例を示す。図４（Ａ）は、まだ画像がＵＲＬと関連付けて（例えば、写真撮影遊戯装置のファイルシステムやサーバのファイルシステムに）記憶されておらず、利用者が画像にアクセスできない場合の表示例を示す。すなわち、図４（Ａ）は、利用者が撮影空間１０２において撮影を行っていない場合や、編集空間１（１０３）、２（１０４）での編集を終えていない場合の表示例であり、「画像はまだありません」という内容のメッセージが画面３０１に表示される。利用者が撮影空間１０２において撮影を行っていない場合や、編集空間１（１０３）、２（１０４）での編集を終えていない場合であっても、単にＵＲＬに関連付けられたコンテンツが無い場合に単に「Ｎｏｔ  ｆｏｕｎｄ」という表示がされることと比較すると、「まだ」という言葉を添えることにより、利用者に不安感を与えにくい。
【００３０】
また、「画像はまだありません」という内容のメッセージに替えて、または、加えて、利用者が受け付けを行った写真撮影遊戯装置１００の設置場所を図４（Ａ）の画面３０１に表示してもよい。また、現在の利用者が、受付空間１０１にまだ居るのか、撮影空間１０２に居るのか、あるいは編集空間１（１０３）、２（１０４）に居るのかを画面３０１に表示してもよい。また、次に移動するべき空間を画面３０１に表示してもよい。このように、現在の利用者の状況を表示することにより、利用者に、対価の支払いだけさせられて、画像を得ることができないのではないかという不安感を抱かせないようにすることができる。
【００３１】
図４（Ｂ）は、画像がと関連付けて（例えば、写真撮影遊戯装置のファイルシステムやサーバのファイルシステムに）記憶され、利用者にアクセス可能となった場合の表示例を示す。図４（Ｂ）に示すように「ダウンロードした画像を選んでね」という図４（Ａ）とは異なる表示がサーバからの返信に基づいてなされている。また、「ダウンロードした画像を選んでね」の下には、画像のサムネイル３０４、３０５、３０６、３０７が表示されている。一つの画面に全てのサムネイルが表示されない場合には、図４（Ｂ）に示すように、スクロールバー３０３が表示されるようになっており、スクロールバー３０３により画面３０１のスクロールがされ、他の画像のサムネイルが表示されるようになっていてもよい。これにより、利用者は、画像アクセス情報を用いて、生成画像を取得することが可能となる。
【００３２】
図５は、本発明の一実施形態に係る写真撮影遊戯装置１００を含むシステムの構成の一例を示す。写真撮影遊戯装置１００は、サーバ５０２と通信網５０２を介して接続されている。また、図５において、携帯端末３００も、サーバ５０１と通信網５０２を介して接続されている。通信網５０２の一例としては、インターネットを挙げることができる。また、写真撮影遊戯装置１００とサーバ５０１とを接続する通信網と、携帯端末３００とサーバ５０１とを接続する通信網とは、異なっていてもよい。例えば、写真撮影遊戯装置１００とサーバ５０１とを接続する通信網は、上述のようにインターネットとなっており、携帯端末３００とサーバ５０１とを接続する通信網は、携帯端末３００を移動体とする移動体通信網となっていてもよい。移動体通信網の一例として、携帯電話の通信網を挙げることができる。
【００３３】
サーバ５０１は、写真撮影遊戯装置１００からの要求（第１の要求）に応じて、画像アクセス情報を発行し、画像アクセス情報の送信先へ送信する構成（第１の構成）となっている。または、サーバ５０１は、写真撮影遊戯装置１００からの要求（第１の要求）に応じて、画像アクセス情報を発行し、写真撮影遊戯装置１００へ返信する構成（第２の構成）となっていてもよい。第２の構成においては、写真撮影遊戯装置１００を経由して画像アクセス情報が携帯端末３００へ送信される。したがって、第１の構成、第２の構成のいずれにおいても、写真撮影遊戯装置１００からの要求（第１の要求）に応じてサーバ５０１は画像アクセス情報を発行し、携帯端末３００へ向けて送信することとすることができる。
【００３４】
また、サーバ５０１は、写真撮影遊戯装置１００からの要求（第２の要求）に応じて、写真撮影遊戯装置１００からアップロードされた生成画像などを記憶する。この場合、サーバ５０１は、記憶前に発行した画像アクセス情報と、写真撮影遊戯装置１００からアップロードされた生成画像などとを関連付けて格納する。これにより、携帯端末３００から画像アクセス情報による要求があり、画像アクセス情報と関連付けられた編集画像などがあれば、その編集画像を携帯端末３００にダウンロード可能とする。
【００３５】
携帯端末３００は、利用者の有する端末である。携帯できる端末であることが好ましい。この場合の携帯端末３００の一例として、携帯電話を挙げることができる。そのような携帯電話は、例えば、インターネットを通じてサーバ５０１と通信を行うことができるのが好ましい。また、携帯端末３００は、無線ＬＡＮのアクセスポイントと通信が可能となっており、無線ＬＡＮのアクセスポイントがサーバ５０１と通信網５０２と通信が可能となっていてもよい。また、携帯端末３００としては、ノートブックコンピュータ、さらにデスクトップコンピュータを含めることもできる。
【００３６】
図５において、写真撮影遊戯装置１００と携帯端末３００とを結ぶ点線は、写真撮影遊戯装置１００と携帯端末３００とが直接通信可能である場合があることを示す。例えば、利用者が携帯端末３００に内蔵された近距離通信（例えばＮＦＣ（Ｎｅａｒ  Ｆｉｅｌｄ  Ｃｏｍｍｕｎｉｃａｔｉｏｎ）によるもの）機能を有して、写真撮影遊戯装置１００と直接通信を行う場合がある。この場合の一例としては、上述の第２の構成において、サーバが画像アクセス情報を発行し、写真撮影遊戯装置１００に返信した場合に、写真撮影遊戯装置１００は、返信された画像アクセス情報を携帯端末３００に近距離通信機能を用いて直接通信する場合がある。また、受付空間１０１において、利用者が写真撮影遊戯装置１００の所定の場所に携帯端末３００をかざすことにより、写真撮影遊戯装置１００へ携帯端末３００に格納された利用者ＩＤや認証情報および／または画像アクセス情報の送信先が送信され、図２（Ｂ）に示すような、利用者による画像アクセス情報の送信先の入力を省略することもできる。
【００３７】
図６Ａは、第１の構成における図５のシステムの処理のシーケンス図の一例を示す。ステップＳ６０１において、例えば図２（Ｂ）に示すような画面により、携帯端末３００の携帯電話番号や利用者のメールアドレス、ＳＮＳの利用者ＩＤなどが画像アクセス情報の送信先として、写真撮影遊戯装置１００により受け付けられると、受け付けられた画像アクセス情報の送信先が、写真撮影遊戯装置１００からサーバ５０１に送信される。
【００３８】
なお、ステップＳ６０１において、画像アクセス情報送信先が、写真撮影遊戯装置１００からサーバ５０１に送信されるときに、写真撮影遊戯装置１００において、画像アクセス情報を生成して、画像アクセス情報送信先とともに写真撮影遊戯装置１００からサーバ５０１に送信されてもよい。写真撮影遊戯装置１００において、画像アクセス情報を生成するには、例えば、写真撮影遊戯装置１００の識別番号、日時情報に基づいて生成することができる。また、画像アクセス情報には、ランダムに生成される情報を含むこともでき、また、チェックサムなども含むことができる。写真撮影遊戯装置１００の識別番号としては、サーバ５０１と通信するための通信装置を特定する情報などを使用することができる。
【００３９】
サーバ５０１が画像アクセス情報の送信先を受信すると、サーバ５０１は、必要ならば画像アクセス情報を生成するなどして発行し、ステップＳ６０２において、発行した画像アクセス情報を画像アクセス情報の送信先である携帯端末３００（言い換えると、画像アクセス情報の送信先が携帯端末３００の携帯電話番号であったり、携帯端末３００がメールの取得を行ったり、利用者が携帯端末３００を用いてＳＮＳにログインなどしてメッセージを受信する場合）へ送信する。これにより、携帯端末３００が、画像アクセス情報を受信する。なお、サーバ５０１において画像アクセス情報を生成するなどして発行する場合には、サーバ５０１は、発行した画像アクセス情報を写真撮影遊戯装置１００にも送信する。
【００４０】
携帯端末３００が、画像アクセス情報を受信すると、その画像アクセス情報に基づいて、サーバ５０１にアクセスが可能となる。しかし、例えば、サーバ５０１に写真撮影遊戯装置１００から編集画像などのアップロードがされておらず記憶がされていないことにより、利用者に画像を提供できない場合、ステップＳ６０３のように画像アクセス情報に基づいてアクセス要求をサーバ５０１に送信すると、ステップＳ６０４において、サーバ５０１から、図４（Ａ）に示すような「画像はまだありません」という旨の未着情報が返信される。
【００４１】
一方、ステップＳ６０５に示すように、写真撮影遊戯装置１００から、生成画像が画像情報として送信され（このとき、画像アクセス情報も送信される場合がある）、サーバ５０１が受信し、サーバ５０１の記憶装置に記憶され、画像アクセス情報に基づいてアクセス可能となったとする。この場合、その後、ステップＳ６０６０に示すように、画像アクセス情報に基づいて、サーバ５０１にアクセス要求を送信すると、ステップＳ６０７において、サーバ５０１から、図４（Ｂ）に示すような画像をダウンロードするためのダウンロードページなどが携帯端末３００に返信される。なお、ステップＳ６０５により、サーバ５０１が生成画像を記憶することになる。また、ステップＳ６０５は、ステップＳ６０１が行われた後に行われるのが好ましい。
【００４２】
ステップＳ６０５に示すように、写真撮影遊戯装置１００から、生成画像が画像情報として送信され、サーバ５０１が受信する場合には、サーバ５０１がどの画像アクセス情報と関連付けるかをサーバ５０１に伝達するために、写真撮影遊戯装置１００から画像情報に加えて画像アクセス情報そのもの、または、画像アクセス情報を特定するための情報が写真撮影遊戯装置１００からサーバ５０１に送信されるのが好ましい。
【００４３】
図６Ｂは、第２の構成における図５のシステムのシーケンス図の一例を示す。ステップＳ６１１において、例えば図２（Ｂ）に示すような画面により、携帯端末３００の携帯電話番号や利用者のメールアドレス、ＳＮＳの利用者ＩＤなどが画像アクセス情報の送信先として、写真撮影遊戯装置１００により受け付けられると、画像アクセス情報の要求が、写真撮影遊戯装置１００からサーバ５０１に送信される。
【００４４】
サーバ５０１が画像アクセス情報の要求を受信すると、サーバ５０１は、画像アクセス情報を生成するなどして発行し、ステップＳ６１２において、発行した画像アクセス情報を写真撮影遊戯装置１００へ返信する。
【００４５】
写真撮影遊戯装置１００は、返信された画像アクセス情報を、例えば図２（Ｂ）に示すような画面により受け付けた画像アクセス情報の送信先へ送信する。写真撮影遊戯装置１００が、携帯端末３００と近距離無線通信などが可能であれば、近距離無線通信により、携帯端末３００へ画像アクセス情報を送信する。この場合、携帯端末３００を特定する情報が、画像アクセス情報の送信先となる。例えば、携帯端末３００のＭＡＣ（Ｍｅｄｉａ  Ａｃｃｅｓｓ  Ｃｏｎｔｒｏｌ）アドレスなどが画像アクセス情報の送信先となる。あるいは、写真撮影遊戯装置１００は、返信された画像アクセス情報をその表示装置に表示したり、印刷装置により紙などの媒体に２次元コードなどとして印刷したりして、利用者に対して出力をしてもよい。利用者は、出力された画像アクセス情報を携帯端末３００に取り込ませることを行う。
【００４６】
以後、図６ＡのステップＳ６０３、Ｓ６０４、Ｓ６０５、Ｓ６０６、Ｓ６０７それぞれに対応して、同様に、Ｓ６１４、Ｓ６１５、Ｓ６１７、Ｓ６１８、Ｓ６１９の処理がされる。なお、ステップＳ６１７により、サーバ５０１が生成画像を記憶することになる。また、ステップＳ６１７は、ステップＳ６１１が行われた後に行われるのが好ましい。
【００４７】
図７は、写真撮影遊戯装置１００の機能ブロック図を示す。写真撮影遊戯装置１００は、受付処理部７０１、撮影処理部７０２、記憶部７０３、編集処理部７０４、通信部７０５を有する。
【００４８】
受付処理部７０１は、受付空間１０１における処理を行う。具体的には、画像アクセス情報の出力先に関する情報を受け付ける。また、画像アクセス情報を発行する。なお、写真撮影遊戯装置１００が画像アクセス情報を発行しない場合には、サーバ５０１に画像アクセス情報の発行を依頼する。この発行の依頼は、生成画像がサーバ５０１により記憶される前であることが好ましい。画像アクセス情報の発行の依頼をした後に、サーバ５０１から利用者の携帯端末３００へ第１の構成のように直接的に画像アクセス情報が送信されたり、第２の構成のように写真撮影遊戯装置１００を介して間接的に画像アクセス情報が送信されたり、写真撮影遊戯装置１００の表示装置に表示されたりする。サーバ５０１から利用者の携帯端末３００への画像アクセス情報の送信は、利用者が編集空間１（１０３）、２（１０４）において編集画像を生成し、サーバ５０１にアップロードされる記憶されるまでに行われることが好ましい。
【００４９】
撮影処理部７０２は、撮影空間７０２における処理を行う。具体的には、受付空間１０１から撮影空間１０２に移動した利用者の撮影を行い、撮影画像を生成する。生成された撮影画像は、記憶部７０３に記憶される。
【００５０】
編集処理部７０４は、撮影空間１０２から編集空間１（１０３）または２（１０４）に移動した利用者が撮影画像を編集する処理を行い、その編集する処理が終了すれば、生成画像などを、通信部７０５を用いて、サーバ５０１に送信する。
【００５１】
図８は、写真撮影遊戯装置１００のハードウェア構成図を示す。ハードウェア構成としての写真撮影遊戯装置８００は、ＣＰＵ８０１、ＲＯＭ８０２、ＲＡＭ８０３、ＨＤＤ８０４、入出力装置８０５、通信装置８０６、撮影装置０（８１１）、表示装置０（８１２）、入力装置０（８１３）、撮影装置１（８１５）、表示装置１（８１６）、入力装置１（８１７）、表示装置２（８１９）、入力装置２（８２０）、表示装置３（８２２）、入力装置３（８２３）および印刷装置８２４を有し、相互にバスやケーブル、無線通信手段により接続がされている。
【００５２】
ここに、撮影装置０（８１１）、表示装置０（８１２）および入力装置０（８１３）は、受付空間１０１に配置される受付空間ユニット８１０を構成し、撮影装置１（８１５）、表示装置１（８１６）および入力装置１（８１７）は、撮影空間１０２に配置される撮影空間ユニット８１４を構成し、表示装置２（８１９）および入力装置２（８２０）は、編集空間１（１０３）に配置される第１の編集空間ユニット８１８を構成し、表示装置３（８２２）および入力装置３（８２３）は、編集空間２（１０４）に配置される第２の編集空間ユニット８２１を構成する。
【００５３】
受付処理部７０１は、主に、受付空間ユニット８１０と後述のプログラムとにより、実現することができ、撮影処理部７０２は、主に、撮影空間ユニット８１４と後述のプログラムとにより、実現することができ、編集処理部７０４は、主に、第１の編集空間ユニット８１８、第２の編集空間ユニット８２１および後述のプログラムとにより、実現することができる。なお、後述のプログラムは、複数のモジュールやサブプログラムなどから構成され、それぞれのモジュールやサブプログラムは、受付処理部７０１、撮影処理部７０２、編集処理部７０４のいずれかを実現するために構成されていてもよい。
【００５４】
ＣＰＵ８０１は、電源投入時に、ＲＯＭ８０２に記憶されたプログラムを実行し、ＨＤＤ８０４などに記憶されているプログラムを読み出し、ＲＡＭ８０３に展開し、また、ＲＡＭ８０３を一時作業領域として用いて、プログラムを実行する。これにより、ハードウェア構成としての写真撮影遊戯装置８００にプログラムの実行により提供される機能を付加して写真撮影遊戯装置１００が実現される。
【００５５】
入出力装置８０５は、写真撮影遊戯装置８００のメンテナンスを行ったり、プログラムを変更したり、各部の動作状況を管理するために用いる入出力装置である。例えば、ディスプレイ、キーボード、マウスなどを含むことができる。
【００５６】
通信装置８０６は、通信網５０２を介してサーバ５０１と通信を行うための装置である。例えばネットワークインターフェースを構成する。また、写真撮影遊戯装置１００が利用者の携帯端末３００と直接的に通信を行う場合には、携帯端末３００との通信を行うための装置としても機能する。通信部７０５は、主に通信装置８０６を用いて実現される。
【００５７】
また、ＲＡＭ８０３、ＨＤＤ８０４は、撮影装置１（８１５）により撮影された撮影画像を記憶するために用い、編集空間１（１０３）および２（１０４）において利用者が撮影画像を編集可能とする。
【００５８】
図９は、サーバ５０１の機能ブロック図を示す。サーバ５０１は、サーバ通信部９０１、アクセス情報管理部９０２、画像管理部９０３、画像記憶部９０４を有する。
【００５９】
サーバ通信部９０１は、通信網５０２を介して写真撮影遊戯装置１００と通信を行うための部である。また、第１の構成においては、携帯端末３００と通信を行う機能も有する。
【００６０】
アクセス情報管理部９０２は、写真撮影遊戯装置１００からの画像アクセス情報の発行の要求に応じて、画像アクセス情報を発行する。例えば、写真撮影遊戯装置ごとに番号を採番可能とし、採番された番号を画像アクセス情報とする。また、必要に応じて、ダイジェスト関数などを番号に適用したものを画像アクセス情報とし、次に発行される画像アクセス情報をサーバ５０１の外部から推測困難とすることもできる。発行された画像アクセス情報は、第１の構成であれば、画像アクセス情報の送信先に送信され、第２の構成であれば、写真撮影遊戯装置１００へ返信される。
【００６１】
また、アクセス情報管理部９０２は、発行した画像アクセス情報を画像管理部９０３に伝達する。これにより、サーバ５０１のサーバ通信部９０１が、後に写真撮影遊戯装置１００から生成画像などを受信し、生成画像などがアップロードされると、画像管理部９０３が、アップロードされた生成画像などと発行した画像アクセス情報とを関連付けて画像記憶部９０４などに記憶可能とする。
【００６２】
画像管理部９０３は、上述したように、アップロードされた編集画像と発行した画像アクセス情報とを関連付けて画像記憶部９０４などに記憶する。これにより、画像アクセス情報による要求が携帯端末３００からされた場合に、その画像アクセス情報に関連づけられた画像をダウンロード可能とするダウンロードページを生成することができる。また、その画像アクセス情報に関連付けられた画像が無い場合には、未着情報を提供することができる。したがって、携帯端末３００からサーバ通信部９０１が、アクセス要求を受信した場合、アクセス要求に対応する画像アクセス情報と関連付けて画像記憶部９０４に記憶された編集画像などが存在しているかを判断することができる。もし、アクセス要求に対応する画像アクセス情報と関連付けて画像記憶部９０４に記憶された編集画像などが存在していれば、図４（Ｂ）に示すようなダウンロードページ情報などを返信する。また、アクセス要求に対応する画像アクセス情報と関連付けて画像記憶部９０４に記憶された編集画像などが存在しなければ、図４（Ａ）に示すような未着情報を返信する。
【００６３】
サーバ５０１のハードウェア構成は、ＣＰＵ、ＲＯＭ、ＲＡＭ、ＨＤＤ、入出力装置、通信装置がバスなどにより接続された構成とすることができる。ＣＰＵは、電源投入時に、ＲＯＭに記憶されたプログラムを実行し、ＨＤＤなどに記憶されているプログラムを読み出し、ＲＡＭに展開し、また、ＲＡＭを一時作業領域として用いて、プログラムを実行する。これにより、ハードウェア構成としてのサーバにプログラムの実行により提供される機能を付加してサーバ５０１が実現される。
【００６４】
図１０（Ａ）は、写真撮影遊戯装置１００の処理の概要を説明するフローチャートである。ステップＳ１００１の処理として、受付処理部７０１により、受付処理を行う。次に利用者が受付空間１０１から撮影空間１０２に移動をすると、ステップＳ１００２の処理として、撮影処理部７０２により、撮影処理を行う。撮影処理が終了し、利用者が編集空間１（１０３）または２（１０４）に移動をすると、ステップＳ１００３の処理として、受付処理部７０１により、編集処理を行う。なお、受付処理において、写真撮影遊戯装置１００がサーバ５０１から画像アクセス情報を取得する場合には、画像アクセス情報を、利用者を識別する識別子として使用することができる。これにより、利用者が写真撮影遊戯装置１００のどの空間に居るかをサーバ５０１に逐次送信することができる。サーバ５０１は、このように送信される利用者の居場所を記憶し、アクセス情報を利用者の携帯端末３００から受信すると、次に移動するべき空間や次に行うべきことを案内することができる。
【００６５】
図１０（Ｂ）は、写真撮影遊戯装置１００の処理の概要を説明する別のフローチャートである。ステップＳ１００４の処理として、画像アクセス情報の出力先に関する情報を取得する。画像アクセス情報が、利用者の携帯端末などに送信されるならば、図２（Ｂ）に例示した画面に入力された画像アクセス情報の送信先をサーバ５０１へ送信する。その後、ステップＳ１００５の処理として、利用者が編集処理を終えるまで、受付処理、撮影処理、編集処理を行う。最後に、ステップＳ１００６の処理として、生成画像などをサーバ５０１へ送信する。本願発明の一実施形態の特徴は、生成画像をサーバ５０１へ送信する前に、画像アクセス情報の送信先に画像アクセス情報が送信されることである。これにより、利用者は、携帯端末３００に画像アクセス情報が送信されてから、生成画像などが写真撮影遊戯装置１００からサーバ５０１へ送信されるまでにおいて、画像へのアクセス要求をサーバ５０１に送信し、返信を受信することができる。この場合、未着情報が受信される。
【００６６】
図１１（Ａ）は、サーバ５０１の処理を説明するフローチャートである。ステップＳ１１０１の処理として、写真撮影遊戯装置１００から画像アクセス情報の送信先を受信するまで待つ。写真撮影遊戯装置１００から画像アクセス情報の送信先を受信すると、ステップＳ１１０２の処理へ移行し、画像アクセス情報を生成して発行する。そして、ステップＳ１１０３の処理として、発行した画像アクセス情報を画像アクセス情報の送信先へ送信する。ただし、写真撮影遊戯装置１００が画像アクセス情報を生成しているばあいには、ステップＳ１１０２およびＳ１１０３の処理は不要とすることができる。その後、ステップＳ１１０４の処理として、写真撮影遊戯装置から生成画像などを画像として受信し、画像アクセス情報と関連付けて記憶し画像記憶部９０４に格納する。
【００６７】
図１１（Ｂ）は、サーバ５０１の処理を説明する第２のフローチャートである。図１１（Ｂ）の第２のフローチャートは、アクセス要求を受信し、それに返信するまでの処理を説明する。ステップＳ１１０５の処理として、携帯端末３００よりアクセス要求の受信がされるまで待つ。アクセス要求が受信されると、ステップＳ１１０６の処理に移行し、受信されたアクセス要求の画像アクセス情報に関連付けて格納された画像が存在するかどうかを確認する。もし、Ｓ１１０６の確認の結果、画像が存在すれば、ステップＳ１１０７の処理に移行し、ダウンロードページを返信する。もし、ステップＳ１１０６の確認の結果、画像が存在しなければ、ステップＳ１１０８の処理に移行し、未着情報を返信する。
【００６８】
なお、図１０（Ｂ）のステップＳ１００４および図１１（Ａ）は、第１の構成における処理を説明するものである。第２の構成における処理を以下に説明する。
【００６９】
図１２（Ａ）は、図１０（Ｂ）のステップＳ１００４に替わって行う処理を説明するフローチャートである。ステップＳ１２０１の処理において、写真撮影遊戯装置１００から、サーバ５０１へ、画像アクセス情報の要求を送信する。ステップＳ１２０２の処理として、写真撮影遊戯装置１００は、サーバ５０１が発行し、返信する画像アクセス情報の受信を行う。ステップＳ１２０３の処理として、写真撮影遊戯装置１００は、携帯端末３００へ、画像アクセス情報を送信する。
【００７０】
図１２（Ｂ）は、図１１（Ａ）のフローチャートに替わって行う処理を説明するフローチャートである。ステップＳ１２０４の処理として、サーバ５０１は、画像アクセス情報の要求の受信がされるまで待つ。画像アクセス情報の要求の受信がされると、ステップＳ１２０５の処理に以降し、サーバ５０１は、画像アクセス情報を生成し、発行する。ステップＳ１２０６の処理として、サーバ５０１は、発行した画像アクセス情報を写真撮影遊戯装置１００へ送信し、画像アクセス情報の要求に対する返信を行う。その後、ステップＳ１２０７の処理として、写真撮影遊戯装置から編集画像などを画像として受信し、発行した画像アクセス情報と関連付けて画像記憶部９０２に記憶する。
【００７１】
以上のように、本願発明の一実施形態においては、発行された画像アクセス情報が利用者の携帯端末に送信がされた後に、写真撮影遊戯装置から生成画像などの画像がサーバに受信されるようにすることができるので、利用者が編集画像などをサーバからダウンロードできるかどうか不安になることを防止することができる。
【符号の説明】
【００７２】
１００  写真撮影遊戯装置、７０１  受付処理部、７０２  撮影処理部、７０３  記憶部、７０４  編集処理部、７０５  通信部
【図１】
2016186724.tif 000003
【図２】
2016186724.tif 000004
【図３】
2016186724.tif 000005
【図４】
2016186724.tif 000006
【図５】
2016186724.tif 000007
【図６Ａ】
2016186724.tif 000008
【図６Ｂ】
2016186724.tif 000009
【図７】
2016186724.tif 000010
【図８】
2016186724.tif 000011
【図９】
2016186724.tif 000012
【図１０】
2016186724.tif 000013
【図１１】
2016186724.tif 000014
【図１２】
2016186724.tif 000015